(57)【要約】【課題】痴呆老人等に携帯端末を所持させ徘徊を通報するシステムであって、対象者が携帯端末を置いて無断で外出することを防止する。【解決手段】監視対象者が所定のエリアから外に出る行為を検知して通報する徘徊者通報システムであって、携帯端末は、近距離無線信号により監視装置と通信する通信手段と、対象者の生体情報を監視するバイタルセンサと、通信手段により監視装置からのポーリング信号を受信すると、応答信号を送信するとともに、バイタルセンサにて生体情報を検出しなくなったときに通信手段により異常通報を行い、監視装置は、ポーリング信号を送信してから所定時間以内に応答信号を受信しない場合に監視対象者が外出中と判断するとともに異常通報を受信した場合に警報動作を行う。【選択図】図２ 
2005316735.tif 000002
【特許請求の範囲】
【請求項１】
監視対象者に装着される携帯端末と、所定のエリアに設置された監視装置とから構成され、監視対象者が前記所定のエリアから外に出る行為を検知して通報する徘徊者通報システムであって、
前記携帯端末は、
近距離無線信号により前記監視装置と通信する通信手段と、
対象者の生体情報を監視するバイタルセンサと、
前記通信手段により前記監視装置からのポーリング信号を受信すると、応答信号を送信するとともに、前記バイタルセンサにて生体情報を検出しなくなったときに前記通信手段により異常通報を行い、
前記監視装置は、前記ポーリング信号を送信してから所定時間以内に前記応答信号を受信しない場合に監視対象者が外出中と判断するとともに前記異常通報を受信した場合に警報動作を行うことを特徴とする徘徊者通報システム。
【請求項２】
前記監視装置は、ポーリング信号を定期的に前記携帯端末に送出することを特徴とする徘徊者通報システム。
【請求項３】
監視対象者が所定のエリアから外に出る行為を検知して通報する徘徊者通報システムに適用される携帯端末であって、
近距離無線信号により監視装置と通信する通信手段と、
対象者の生体情報を監視するバイタルセンサと、
前記通信手段により前記監視装置からのポーリング信号を受信すると、応答信号を送信するとともに、前記バイタルセンサにて生体情報を検出しなくなったときに前記通信手段により異常通報を行うことを特徴とした携帯端末。
【請求項４】
監視対象者が所定のエリアから外に出る行為を検知して通報する徘徊者通報システムに適用される携帯端末であって、
近距離無線信号により監視装置と通信する通信手段と、
対象者の生体情報を監視するバイタルセンサと、
前記通信手段により前記監視装置からのポーリング信号を所定時間に渡り受信しない場合及び前記バイタルセンサにて生体情報を検出しなくなったときに前記通信手段により異常通報を行うことを特徴とした携帯端末。
【発明の詳細な説明】
【技術分野】
【０００１】
本発明は、身体に異常が発生した場合に位置情報とともに通報する徘徊者通報システムであって、特に痴呆老人の徘徊による無断外出を防止するシステムに関する。
【背景技術】
【０００２】
従来、徘徊癖のある人が徘徊を始めるのを予防するために、家の中にいる徘徊癖のある人に小型の信号発信端末を携帯させ、それが発信する特定周波数の近距離無線信号を信号監視端末によって常時監視していて、無線信号が受信できなくなれば信号発信手段を携帯している人物が、家や施設から出て信号監視端末に対して無線信号が届かない所にまで離れたものとみなし、アラームを発して家人や介護者に知らせるようにした徘徊予防システムが提案されている（特許文献１）。
【０００３】
しかし、前述の徘徊予防システムでは、例えば監視対象者が、携帯すべき信号発信端末を手放してしまった場合には、外出してもこれを検知することができないという問題がある。
また、脈拍数や血圧などの生体データを常時監視するバイタルセンサとＧＰＳなどの位置情報検知装置を搭載した健康管理装置を身体に装着し、バイタルセンサが身体の異常を検出すると対象者の位置情報とともに異常信号を監視センタに通報する救急通報システムが提案されている。（特許文献２）
【０００４】
しかし、特許文献２記載の徘徊者通報装置および救急通報システムにおいては、ＧＰＳを利用して位置情報の検知を行うようになっているが、たとえば屋内においてはＧＰＳの電波を受信することができず、その場合には、精度よく位置情報を検知できないという問題があった。
【特許文献１】特開２００３−３６４９２号公報
【特許文献２】特開２００２−２６９６６２号公報
【発明の開示】
【発明が解決しようとする課題】
【０００５】
解決しようとする問題点は、対象者が発信端末を手放してしまった場合には、これを検知してアラームを発することができるようにすることである。
【課題を解決するための手段】
【０００６】
本発明の徘徊者通報システムは、監視対象者に装着される携帯端末と、所定のエリアに設置された監視装置とから構成され、監視対象者が前記所定のエリアから外に出る行為を検知して通報する徘徊者通報システムであって、前記携帯端末は、近距離無線信号により前記監視装置と通信する通信手段と、対象者の生体情報を監視するバイタルセンサと、前記通信手段により前記監視装置からのポーリング信号を受信すると、応答信号を送信するとともに、前記バイタルセンサにて生体情報を検出しなくなったときに前記通信手段により異常通報を行い、前記監視装置は、前記ポーリング信号を送信してから所定時間以内に前記応答信号を受信しない場合に監視対象者が外出中と判断するとともに前記異常通報を受信した場合に警報動作を行うことを特徴とする。
【０００７】
また、前記監視装置は、ポーリング信号を定期的に前記携帯端末に送出することを特徴とする。
【０００８】
本発明の携帯端末は、監視対象者が所定のエリアから外に出る行為を検知して通報する徘徊者通報システムに適用される携帯端末であって、近距離無線信号により監視装置と通信する通信手段と、対象者の生体情報を監視するバイタルセンサと、前記通信手段により前記監視装置からのポーリング信号を受信すると、応答信号を送信するとともに、前記バイタルセンサにて生体情報を検出しなくなったときに前記通信手段により異常通報を行うことを特徴とする。
【０００９】
本発明の携帯端末は、監視対象者が所定のエリアから外に出る行為を検知して通報する徘徊者通報システムに適用される携帯端末であって、近距離無線信号により監視装置と通信する通信手段と、対象者の生体情報を監視するバイタルセンサと、前記通信手段により前記監視装置からのポーリング信号を所定時間に渡り受信しない場合及び前記バイタルセンサにて生体情報を検出しなくなったときに前記通信手段により異常通報を行うことを特徴とする。
【発明の効果】
【００１０】
本発明の徘徊者通報システムおよび携帯端末によれば、対象者が携帯端末を体から取り外した場合にはこれを検知して警報を発することができるので、対象者が携帯端末を置いて無断で外出することを防止することができる。
【発明を実施するための最良の形態】
【００１１】
対象者が携帯端末を所持しているときに外出するとこれを検知するとともに、携帯端末を体から取り外した場合にも警報を発することができる徘徊者通報システム及び携帯端末を実現した。
【００１２】
（実施例１）
図１は、本発明の徘徊者通報システムの全体構成を示す。徘徊者通報システムは、痴呆老人等の徘徊癖のある対象者が所持する携帯端末１と、対象者の自宅等の屋内に設置された監視装置２、遠隔の監視センタ３が携帯電話網４、インターネット、専用網などの通信網６に接続される。
【００１３】
携帯端末１は対象者に所持される。携帯端末１は、ＧＰＳ衛星５から受信したＧＰＳ信号から緯度・経度情報からなる位置情報を算出し、また、対象者の身体に異常が発生した場合に通信網６や携帯電話網４を介して監視センタ３に信号を送信する。
【００１４】
監視センタ３は、対象者の家族等からの依頼を受けて、その携帯端末１の位置情報を確認する。監視センタ３は、警備保障会社など、複数の対象者に安全確認のサービスを提供する組織により管理運営される。監視センタ３では、携帯端末１を所持する対象者が無断に外出した場合に、携帯端末１とアクセスすることによりその現在位置を知ることができ、何らかの対処が必要だと判断した場合には、監視センタ３から所定の対処用端末に必要なデータを送信して対処員に監視対象者への適切な対処を指示する。このとき、対処員には、対処内容と対象者の位置を示す地図が送信される。
【００１５】
監視センタ３から、追跡信号を携帯端末１に対して送信する。かかる追跡信号を受信した携帯端末１は、所定時間ごとに順次現在位置を取得して監視センタ３に返信する。このようにして、携帯端末１の現在位置を監視センタ３にて把握することにより、適宜に対処者を現地に向かわせて徘徊を監視・保護することが可能となる。
ここで、対処者は図示しない対処用端末を所持しており、監視センタ３から対処用端末に送信される現在位置を見て、対象者の救急活動を行う。
【００１６】
次に、携帯端末１の構成を説明する。図２は、携帯端末１の機能ブロックを示す図である。携帯端末１は、ＧＰＳ信号、携帯電話網４及び監視装置２と各種信号などの無線信号を送受信する空中線に接続されるＲＦ部１０１と、ＲＦ部１０１を経由してＧＰＳ衛星５が送信しているＧＰＳ信号を受信するＧＰＳ受信部１０２と、ＲＦ部１０１を経由して携帯電話網４と無線信号を送受信する第１送受信部１０３と、ＲＦ部１０１を経由して監視装置２と無線信号を送受信する第２送受信部１０４と、制御部１００の制御により第１送受信部と第２送受信部とを切り替える切替部１０５と、携帯端末１の利用者即ち対象者が各種の操作入力をする操作部１０６と、対象者の血圧、脈拍数、体温、心電、呼吸数などの生体情報を測定するバイタルセンサ１０７と、携帯端末１の動作を制御するための各種アプリケーション、オペレーションシステム、ユーザー登録データ等を記憶するＲＯＭ・ＲＡＭ等からなる記憶部１０８と、携帯端末１の状態等を表示するＬＥＤからなる表示部１０９と、ブザー音を発生するブザー１１０と、バイブレータ１１１、各部に電源を供給する電池１１２、及びこれらを制御する制御部１００から構成されている。操作部１０６は、電源スイッチ及び非常通報スイッチから構成されている。
【００１７】
次に監視装置２の構成を説明する。図３は、監視装置２の機能ブロックを示す図である。
監視装置２は、マイクロプロセッサ（ＭＰＵ）、半導体メモリ及びインターフェース回路でなるコンピュータで構成される制御部２００、半導体メモリ内の記憶領域である記憶部２０１、各種スイッチ等である操作部２０２、液晶画面やＬＥＤ等である表示部２０３、通信網６と接続する通信部２０４、携帯端末１と無線信号を送受信する空中線に接続されるＲＦ部２０６、ＲＦ部２０６を経由して携帯端末１と無線信号を送受信する送受信部２０５から構成される。送受信部２０５は、応答信号、取外警報信号等を携帯端末１から受信し、呼び出し信号を携帯端末１へ送信する。
【００１８】
次に、携帯端末１、監視装置２及び監視センタ３の動作を図４及び図５に示す動作フロー図を参照して詳しく説明する。
携帯端末１は、対象者が携帯し、例えば腕時計型に構成して手首に装着するようにする。
携帯端末１の記憶部１０８には、予め監視装置２からの呼び出し信号を受ける所定時間が記憶されている。
監視装置２の送受信部２０５はＲＦ部２０６を介して所定の時間間隔で呼び出し信号を、当該監視装置２が設置されている所定のエリアＥである屋内に向けて小電力無線により送出する。
【００１９】
携帯端末１は常時、監視装置２から呼び出し信号の受信待機状態となっており、監視装置２からの呼び出し信号を受信すると（ステップＳ００１のＹＥＳ）、当該屋内に所在するものとして屋内通信モードに設定し（ステップＳ００２）、記憶部１０８に記憶する。
そして、携帯端末１の第１送受信部１０３、ＲＦ部１０１を介して応答信号を監視装置２に送信する（ステップＳ００３）。
【００２０】
携帯端末１は、所定時間に渡って監視装置２の呼び出し信号を受信しないときには（ステップＳ００４のＹＥＳ）、対象者が外出中で所定のエリアＥ外にいるものと判断して屋外通信モードに設定し（ステップＳ００５）、記憶部１０８に記憶される。
そして、第２送受信部１０４、ＲＦ部１０１を介して、携帯電話網４に送出する（ステップＳ００６）。
上記Ｓ００１〜Ｓ００６までのステップは携帯端末１の電源がＯＮされている間は常時繰り返される。
【００２１】
次に、対象者が携帯端末１を体から取り外した場合の動作について図５を参照して説明する。
携帯端末１の制御部１００は、常時、バイタルセンサ１０７により対象者の生体情報の変化を監視し、バイタルセンサ１０７が異常を検知した場合には、表示部１０９にて異常表示を行い、ブザー１１０を鳴動、バイブレータ１１１を振動させて対象者に異常状態であることを知らせる。ここで、携帯端末１は、対象者の体より取外された場合は、生体情報を検出することができなくなるので、この取外し行為を検出することができる（ステップＳ１０１）。
そして、携帯端末１は、取外し行為を検出すると（ステップＳ１０１のＹＥＳ）以下に説明するように通報動作を行う。
【００２２】
制御部１００は、記憶部１０８から現在の通信モードを読み出し、通信モードが屋内通信モードである場合には（ステップＳ１０２）、切替部１０５により第１送受信部１０３に切り替え、携帯端末１の識別コード及びバイタルセンサ７の異常信号を第１送受信部１０３、ＲＦ部１０１から小電力無線にて送出する。
【００２３】
ステップＳ１０２にて、通信モードが屋内通信モードではない即ち屋外通信モードである場合には（ステップＳ１０２のＮＯ）、制御部１００は、ＧＰＳ受信部１０２を動作して、ＧＰＳ衛星５からのＧＰＳ信号を受信し、携帯端末１の緯度・経度を算出し、その算出した時間情報とともに記憶部１０８に記憶する（ステップＳ１０４）。
【００２４】
次に、切替部１０５により第２送受信部１０４に切り替え、携帯端末１の識別コード及びバイタルセンサ７の異常信号とともに位置情報を第２送受信部１０４、ＲＦ部１０１から携帯電話網４に送出する（ステップＳ１０５）。
【００２５】
監視装置２の動作について図６を参照して説明する。
監視装置２の送受信部２０５は、ＲＦ部２０６を介して小電力無線にて携帯端末１にポーリング信号を送信する。
携帯端末１は監視装置２からのポーリング信号を受信できる範囲、即ち監視装置２の設置されている所定エリアＥ内に所在するときには、応答信号を返信する。
監視装置２は、携帯端末１から応答信号を受信すると（ステップＳ２０２）、処理を終了する。
【００２６】
監視装置２は、ポーリング信号を送信して所定時間応答信号を受信しなかった場合（ステップＳ２０３：ＹＥＳ）、携帯端末１が所定エリアＥ内に所在しない、すなわち、この場合対象者が外出したと判断する（ステップＳ２０４）。
そして、表示部２０３であるディスプレーに表示したりやブザーを鳴動して警報を行うとともに、通信部２０４より所定の通報先に通報を行う。
尚、ステップＳ２０１〜Ｓ２０５までの処理は、所定時間間隔で繰り返される。
【００２７】
監視センタ３では、携帯電話網４、通信網６を介して外出信号を受信すると、警報出力するとともに、携帯端末１の移動軌跡を示した地図情報、監視対象者の氏名、特徴、住所、携帯端末の電話番号、緊急連絡先電話番号などのデータをＣＲＴ等の表示装置へ表示するとともにスピーカから警報音を出力する。監視センタ３では、監視対象者に最寄の対処員に指示を行い、対処員の所持する図示しない対処用端末に当該対象者の現在位置情報とともに氏名、年齢、特徴、住所等の捜索に必要な情報を送信して表示させることで捜索が容易になる。
【図面の簡単な説明】
【００２８】
【図１】徘徊者通報システムの全体構成図
【図２】携帯端末の機能ブロック図
【図３】監視装置の機能ブロック図
【図４】携帯端末の動作フロー図
【図５】携帯端末の動作フロー図
【図６】監視装置の動作フロー図
【符号の説明】
【００２９】
１  携帯端末
２  監視装置
３  監視センタ
４  携帯電話網
５  ＧＰＳ衛星
６  通信網  
【図１】
2005316735.tif 000003
【図２】
2005316735.tif 000004
【図３】
2005316735.tif 000005
【図４】
2005316735.tif 000006
【図５】
2005316735.tif 000007
【図６】
2005316735.tif 000008
【手続補正書】
【提出日】平成16年5月7日(2004.5.7)
【手続補正１】
【補正対象書類名】特許請求の範囲
【補正対象項目名】請求項２
【補正方法】変更
【補正の内容】
【請求項２】
前記監視装置は、ポーリング信号を定期的に前記携帯端末に送出することを特徴とする請求項１に記載の徘徊者通報システム。